(57)【要約】  【課題】  動電型の電気音響変換器において、その小型化を維持した上で高音圧化を図る。  【解決手段】  磁気回路ユニット１６を、ボイスコイル１４よりも下方側において水平方向に延びる底壁部２８Ａと、この底壁部２８Ａの外周縁から上方へ延びる環状壁部２８Ｂとからなるベース２８と、その底壁部２８Ａの上面に載置固定されたマグネット３０と、その上面３０ｂに載置固定されたヨーク３２とからなる構成とし、そのベース２８の環状壁部２８Ｂとヨーク３２の外周面３２ａとでボイスコイル１４の下端部を収容する環状の磁気間隙Ｇが形成される構成とする。その際、マグネット３０は、その下面３０ａから上面３０ｂへ向けて鉛直方向に対して磁気間隙Ｇ寄りに傾斜した方向に磁化された構成とする。これによりヨーク３２から上方へ向かう漏れ磁束を低減させ、その分だけ磁気間隙Ｇへ向かう有効な磁束を増大させる。  【選択図】          図３
2007235428.tif 000002
【特許請求の範囲】
【請求項１】
ダイアフラムと、このダイアフラムの下面に固定されたボイスコイルと、このボイスコイルの下端部を収容する環状の磁気間隙が形成された磁気回路ユニットと、この磁気回路ユニットおよび上記ダイヤフラムを固定支持するフレームと、を備えてなる電気音響変換器において、
上記磁気回路ユニットが、上記磁気間隙を挟むようにして配置された強磁性体からなるベースおよびヨークと、これらベースおよびヨーク間に配置されたマグネットとからなり、
上記ベースが、上記ボイスコイルよりも下方側において略水平方向に延びる底壁部と、この底壁部から上記ボイスコイルと隣接するようにして上方へ延びる環状壁部とからなり、
上記マグネットが、上記ベースの底壁部の上面に載置固定されており、
上記ヨークが、上記ボイスコイルに対して上記ベースの環状壁部とは反対側において隣接するようにして上記マグネットの上面に載置固定されており、
上記マグネットが、該マグネットの下面から上面へ向けて鉛直方向に対して上記磁気間隙寄りに傾斜した方向に磁化されている、ことを特徴とする電気音響変換器。
【請求項２】
ダイアフラムと、このダイアフラムの下面に固定されたボイスコイルと、このボイスコイルの下端部を収容する環状の磁気間隙が形成された磁気回路ユニットと、この磁気回路ユニットおよび上記ダイヤフラムを固定支持するフレームと、を備えてなる電気音響変換器において、
上記磁気回路ユニットが、上記磁気間隙を挟むようにして配置された強磁性体からなるベースとマグネットとからなり、
上記ベースが、上記ボイスコイルよりも下方側において略水平方向に延びる底壁部と、この底壁部から上記ボイスコイルと隣接するようにして上方へ延びる環状壁部とからなり、
上記マグネットが、上記ボイスコイルに対して上記ベースの環状壁部とは反対側において隣接するようにして該ベースの底壁部の上面に載置固定されており、
上記マグネットが、該マグネットの下面から上記磁気間隙に臨む周面上端部へ向けて磁化されている、ことを特徴とする電気音響変換器。
【請求項３】
上記マグネットの周面上端部が、該マグネットの周面における他の部分よりも上記ボイスコイル側へ突出するように形成されている、ことを特徴とする請求項２記載の電気音響変換器。
【発明の詳細な説明】
【技術分野】
【０００１】
本願発明は、動電型の電気音響変換器に関するものであり、特に、小型の電気音響変換器に関するものである。
【背景技術】
【０００２】
一般に、動電型スピーカ等の電気音響変換器は、ダイアフラムと、このダイアフラムの下面に固定されたボイスコイルと、このボイスコイルの下端部を収容する環状の磁気間隙が形成された磁気回路ユニットと、これら磁気回路ユニットおよびダイヤフラムを固定支持するフレームとを備えた構成となっている。
【０００３】
その際、小型の電気音響変換器においては、例えば「特許文献１」に記載されているように、その磁気回路ユニットが、上記磁気間隙を挟むようにして配置された強磁性体からなるベースおよびヨークと、これらベースおよびヨーク間に配置されたマグネットとからなっている。
【０００４】
そして、この磁気回路ユニットは、そのベースが、ボイスコイルよりも下方側において略水平方向に延びる底壁部と、この底壁部からボイスコイルと隣接するようにして上方へ延びる環状壁部とからなり、そのマグネットが、ベースの底壁部の上面に載置固定されており、そのヨークが、ボイスコイルに対してベースの環状壁部とは反対側において隣接するようにしてマグネットの上面に載置固定された構成となっている。
【０００５】
なお「特許文献２」および「特許文献３」には、マグネットを製造する際に、マグネット材料を平行な一方向以外の方向に磁化するように構成された着磁装置が記載されている。
【０００６】
【特許文献１】特開２００４−２９７３１８号公報
【特許文献２】特開平５−１２９１２７号公報
【特許文献３】特開平８−２６４３６２号公報
【発明の開示】
【発明が解決しようとする課題】
【０００７】
近年では、小型化された動電型の電気音響変換器においても、高音圧化が求められてきている。
【０００８】
しかしながら、従来の電気音響変換器は、そのマグネットの着磁方向が鉛直方向に設定されているので、その上面に載置固定されたヨークから上方へ磁束が少なからず漏れてしまい、その分だけ磁気間隙へ向かう有効な磁束が少なくなってしまう、という問題がある。
【０００９】
このため、従来の電気音響変換器においては、マグネットの体積を大きくしたり、ＢＨ積の大きいマグネットを用いることにより、その高音圧化を図る工夫がなされているが、電気音響変換器の小型化を維持しつつ高音圧化を図るということには自ずと限界がある。
【００１０】
本願発明は、このような事情に鑑みてなされたものであって、動電型の電気音響変換器において、その小型化を維持した上で高音圧化を図ることができる電気音響変換器を提供することを目的とするものである。
【課題を解決するための手段】
【００１１】
本願発明は、マグネットの磁化方向に工夫を施すことにより、上記目的達成を図るようにしたものである。
【００１２】
すなわち、本願第１の発明に係る電気音響変換器は、
ダイアフラムと、このダイアフラムの下面に固定されたボイスコイルと、このボイスコイルの下端部を収容する環状の磁気間隙が形成された磁気回路ユニットと、この磁気回路ユニットおよび上記ダイヤフラムを固定支持するフレームと、を備えてなる電気音響変換器において、
上記磁気回路ユニットが、上記磁気間隙を挟むようにして配置された強磁性体からなるベースおよびヨークと、これらベースおよびヨーク間に配置されたマグネットとからなり、
上記ベースが、上記ボイスコイルよりも下方側において略水平方向に延びる底壁部と、この底壁部から上記ボイスコイルと隣接するようにして上方へ延びる環状壁部とからなり、
上記マグネットが、上記ベースの底壁部の上面に載置固定されており、
上記ヨークが、上記ボイスコイルに対して上記ベースの環状壁部とは反対側において隣接するようにして上記マグネットの上面に載置固定されており、
上記マグネットが、該マグネットの下面から上面へ向けて鉛直方向に対して上記磁気間隙寄りに傾斜した方向に磁化されている、ことを特徴とするものである。
【００１３】
また、本願第２の発明に係る電気音響変換器は、
ダイアフラムと、このダイアフラムの下面に固定されたボイスコイルと、このボイスコイルの下端部を収容する環状の磁気間隙が形成された磁気回路ユニットと、この磁気回路ユニットおよび上記ダイヤフラムを固定支持するフレームと、を備えてなる電気音響変換器において、
上記磁気回路ユニットが、上記磁気間隙を挟むようにして配置された強磁性体からなるベースとマグネットとからなり、
上記ベースが、上記ボイスコイルよりも下方側において略水平方向に延びる底壁部と、この底壁部から上記ボイスコイルと隣接するようにして上方へ延びる環状壁部とからなり、
上記マグネットが、上記ボイスコイルに対して上記ベースの環状壁部とは反対側において隣接するようにして該ベースの底壁部の上面に載置固定されており、
上記マグネットが、該マグネットの下面から上記磁気間隙に臨む周面上端部へ向けて磁化されている、ことを特徴とするものである。
【００１４】
上記構成において「下面」等の方向性を示す用語は、電気音響変換器を構成する各部材相互間の位置関係を明確にするために便宜上用いたものであって、これにより電気音響変換器を実際に使用する際の方向性が限定されるものではない。
【００１５】
上記「磁気回路ユニット」は、ボイスコイルに対してベースの環状壁部が外周側に位置するとともにマグネット（およびヨーク）が内周側に位置する内磁式の磁気回路ユニットであってもよいし、ボイスコイルに対してベースの環状壁部が内周側に位置するとともにマグネット（およびヨーク）が外周側に位置する外磁式の磁気回路ユニットであってもよい。
【発明の効果】
【００１６】
上記構成に示すように、本願第１の発明に係る電気音響変換器は、その磁気回路ユニットが、磁気間隙を挟むようにして配置されたベースおよびヨークと、これらの間に配置されたマグネットとからなり、そのベースは、ボイスコイルよりも下方側において略水平方向に延びる底壁部と、この底壁部からボイスコイルと隣接するようにして上方へ延びる環状壁部とからなり、そのマグネットは、ベースの底壁部の上面に載置固定されており、そのヨークは、ボイスコイルに対してベースの環状壁部とは反対側において隣接するようにしてマグネットの上面に載置固定された構成となっているが、そのマグネットは、該マグネットの下面から上面へ向けて鉛直方向に対して磁気間隙寄りに傾斜した方向に磁化されているので、従来のように単に鉛直方向に磁化されている場合に比して、その上面に載置固定されたヨークから上方へ向かう漏れ磁束を低減させることができ、その分だけ磁気間隙へ向かう有効な磁束を増大させることができる。
【００１７】
また、本願第２の発明に係る電気音響変換器は、その磁気回路ユニットが、磁気間隙を挟むようにして配置されたベースとマグネットとからなり、そのベースは、ボイスコイルよりも下方側において略水平方向に延びる底壁部と、この底壁部からボイスコイルと隣接するようにして上方へ延びる環状壁部とからなり、そのマグネットは、ボイスコイルに対してベースの環状壁部とは反対側において隣接するようにして該ベースの底壁部の上面に載置固定された構成となっているが、そのマグネットは、該マグネットの下面から磁気間隙に臨む周面上端部へ向けて磁化されているので、ヨークが設けられていないにもかかわらず、該マグネットから上方へ向かう漏れ磁束を抑制して、磁気間隙へ向かう有効な磁束を十分に確保することができる。
【００１８】
このように本願発明によれば、動電型の電気音響変換器において、その磁気回路からの漏れ磁束を低減させることができ、これにより電気音響変換器の小型化を維持した上で高音圧化を図ることができる。
【００１９】
特に、本願第２の発明に係る電気音響変換器においては、ヨークが不要となるので、電気音響変換器の部品点数を削減することができ、また、ヨークの占有スペース分だけマグネットの上下幅を大きくすることができるので、磁気間隙へ向かう有効な磁束をさらに増大させることができる。
【００２０】
本願第２の発明に係る電気音響変換器において、マグネットの周面上端部を、その周面における他の部分よりもボイスコイル側へ突出するように形成すれば、周面上端部が確固とした磁極となるように着磁処理を行うことが可能となるので、磁気間隙へ向かう磁束の密度を高めることができる。
【発明を実施するための最良の形態】
【００２１】
以下、図面を用いて、本願発明の実施の形態について説明する。
【００２２】
まず、本願発明の第１実施形態について説明する。
【００２３】
図１は、本実施形態に係る電気音響変換器１０を示す平面図である。また、図２は、図１のII-II 線断面図である。
【００２４】
これらの図に示すように、本実施形態に係る電気音響変換器１０は、小型の動電型スピーカであって、例えば携帯電話機や自動車等に搭載された状態で使用されるようになっている。
【００２５】
この電気音響変換器１０は、外径１５ｍｍ程度の円形の外形形状を有するダイアフラム１２と、このダイアフラム１２の下面に固定されたボイスコイル１４と、このボイスコイル１４の下端部を収容する環状の磁気間隙Ｇが形成された磁気回路ユニット１６と、内周部において磁気回路ユニット１６を固定支持するとともに外周部においてダイヤフラム１２を固定支持するフレーム２０と、このフレーム２０に取り付けられた１対の端子部材１８とを備えた構成となっている。
【００２６】
フレーム２０は、合成樹脂製の射出成形品であって、その中央部には、ボイスコイル１４よりもやや大径の円形開口部２０ａが形成されている。このフレーム２０は、円形開口部２０ａの周囲に位置する円環状の環状部２０Ａと、この環状部２０Ａの外周縁から上方へ延びる外周フランジ部２０Ｂとからなっている。
【００２７】
環状部２０Ａには、該環状部２０Ａを上下方向に貫通する複数の円形孔２０ｃが、周方向に所定間隔をおいて形成されている。
【００２８】
外周フランジ部２０Ｂは、その上面が階段状に形成されている。すなわち、この外周フランジ部２０Ｂの上面は、その内周寄りの略半分が下段部、その外周寄りの残り略半分が上段部として構成されており、その下段部の上面がダイアフラム１２を支持するためのダイヤフラム支持面２０ｂを構成している。
【００２９】
この外周フランジ部２０Ｂの外周面における手前側部分（図１において下側に位置する部分）は、直線状に面取りされた平面部２０ｄとして形成されている。また、この外周フランジ部２０Ｂの手前側部分は、その上段部が切り欠かれている。そして、この外周フランジ部２０Ｂにおける手前側部分の左右両側には、環状部２０Ａの上面まで切り欠かれた切欠き部２０ｅが形成されている。
【００３０】
１対の端子部材１８は、いずれも金属板の加工品として構成されており、インサート成形によりフレーム２０と一体的に形成されている。これら各端子部材１８は、その一端部が、フレーム２０の環状部２０Ａにおける外周フランジ部２０Ｂの各切欠き部２０ｅに隣接する位置において、該環状部２０Ａの上面と面一で露出するランド部１８ａを構成するとともに、その他端部が、外周フランジ部２０Ｂの平面部２０ｄに沿って延びる外部端子接続部１８ｂを構成している。
【００３１】
ボイスコイル１４は、巻き径８ｍｍ程度でかつ筒長１ｍｍ程度で円筒状に巻回されており、その上端がフレーム２０のダイヤフラム支持面２０ｄと略面一となるようにして、フレーム２０の円形開口部２０ａ内に配置されている。そして、このボイスコイル１４の上端部から延出する１対のコイル端末１４ａは、１対の端子部材１８のランド部１８ａに熱圧着により導通固定されている。
【００３２】
ダイヤフラム１２は、合成樹脂製フィルムに熱プレス成形を施すことにより形成されている。このダイヤフラム１２の外周縁部には、円環状の外周縁平面部１２ａが形成されており、この外周縁平面部１２ａの内周側には、該外周縁平面部１２ａと所定間隔をおいて円環状の中間平面部１２ｂが形成されている。そして、このダイヤフラム１２における中間平面部１２ｂの内周側の部分は、上方へ向けて球面状に膨出するように形成されており、また、外周縁平面部１２ａと中間平面部１２ｂとの間の部分は、上方へ向けて円環面状に膨出するように形成されている。
【００３３】
そして、このダイヤフラム１２は、その外周縁平面部１２ａにおいてフレーム２０の外周フランジ部２０Ｂのダイヤフラム支持面２０ｂに接着されるとともに、その中間平面部１２ｂにおいてボイスコイル１４の上端に接着されている。なお、フレーム２０の外周フランジ部２０Ｂの各切欠き部２０ｅには、該切欠き部２０ｅとダイヤフラム１２の外周縁平面部１２ａとの間の空間を閉塞する接着剤２４が充填されている。
【００３４】
図３は、磁気回路ユニット１６の構成を示す、図２の要部詳細図である。
【００３５】
同図にも示すように、この磁気回路ユニット１６は、内磁式の磁気回路ユニットであって、鋼製のベース２８と、ネオジウム製のマグネット３０と、鋼製のヨーク３２とからなっている。
【００３６】
ベース２８は、背の低い有底円筒状に形成されている。すなわち、このベース２８は、ボイスコイルより１４も下方側において水平方向に延びる底壁部２８Ａと、この底壁部２８Ａの外周縁からボイスコイル１４の外周側に隣接するようにして上方へ延びる環状壁部２８Ｂとからなり、この環状壁部２８Ｂの上端外周部には環状段差部２８ａが形成されている。
【００３７】
マグネット３０は、円板状に形成されており、その上下幅は０．８ｍｍ程度の値に設定されている。そして、このマグネット３０は、ベース２８の底壁部２８Ａの上面に、その環状壁部２８Ｂと同心になるように配置された状態で、接着により載置固定されている。
【００３８】
ヨーク３２は、マグネット３０よりも僅かに大径の円板状に形成されており、その上下幅は０．３ｍｍ程度の値に設定されている。そして、このヨーク３２は、マグネット３０の上面に、ベース２８の環状壁部２８Ｂと同心になるように配置された状態で、接着により載置固定されている。
【００３９】
そしてこれにより、この磁気回路ユニット１６においては、そのヨーク３２の外周面３２ａとベース２８の環状壁部２８Ｂの内周面との間において上記磁気間隙Ｇを全周同一幅で形成するようになっている。その際、この磁気回路ユニット１６は、そのヨーク３２の上面とベース２８の環状壁部２８Ｂの上端面とが略面一となるように構成されている。そして、この磁気回路ユニット１６は、そのヨーク３２の外周面３２ａがボイスコイル１４の上下方向中心位置よりもやや下方に位置するように位置決めされた状態でフレーム２０に装着されている。
【００４０】
図４に示すように、この磁気回路ユニット１６のフレーム２０への装着は、ベース２８の環状段差部２８ａをフレーム２０の円形開口部２０ａに下方から嵌合させた状態で、ベース２８の環状壁部２８Ｂの外周面とフレーム２０の環状底面部２０Ａの下面との環状コーナ部に接着剤３４を供給することにより行われている。
【００４１】
図３に示すように、この磁気回路ユニット１６のマグネット３０は、その下面３０ａから上面３０ｂへ向けて鉛直方向に対して磁気間隙Ｇ寄りに傾斜した方向に磁化されている。具体的には、このマグネット３０における磁化方向は、その下面３０ａから上面３０ｂへ向けて、該マグネット３０の中心を通る鉛直線を軸とする逆円錐台の母線に沿って延びるように設定されている。
【００４２】
そしてこれにより、マグネット３０の上面３０ｂに載置固定されたヨーク３２から上方へ向かう漏れ磁束を低減させて、ヨーク３２の外周面３２ａから磁気間隙Ｇへ向かう有効な磁束（すなわちボイスコイル１４にローレンツ力を作用させるのに寄与する磁束）を増大させるようになっている。
【００４３】
なお、マグネット３０に対するこのような着磁処理は、着磁装置における着磁ヨークの形状や配置を工夫することにより達成可能である。
【００４４】
以上詳述したように、本実施形態に係る電気音響変換器１０は、その磁気回路ユニット１６が、磁気間隙Ｇを挟むようにして配置されたベース２８およびヨーク３２と、これらの間に配置されたマグネット３０とからなり、そのベース２８は、ボイスコイル１４よりも下方側において水平方向に延びる底壁部２８Ａと、この底壁部２８Ａからボイスコイル１４と隣接するようにして上方へ延びる環状壁部２８Ｂとからなり、そのマグネット３０は、ベース２８の底壁部２８Ａの上面に載置固定されており、そのヨーク３２は、ボイスコイル１４に対してベース２８の環状壁部２８Ｂとは反対側において隣接するようにしてマグネット３０の上面３０ｂに載置固定された構成となっているが、そのマグネット３０は、該マグネット３０の下面３０ａから上面３０ｂへ向けて鉛直方向に対して磁気間隙Ｇ寄りに傾斜した方向に磁化されているので、従来のように単に鉛直方向に磁化されている場合に比して、その上面３０ｂに載置固定されたヨーク３２から上方へ向かう漏れ磁束を低減させることができ、その分だけ磁気間隙Ｇへ向かう有効な磁束を増大させることができる。
【００４５】
このように本実施形態によれば、動電型の電気音響変換器１０において、その磁気回路からの漏れ磁束を低減させることができ、これにより電気音響変換器１０の小型化を維持した上で高音圧化を図ることができる。
【００４６】
次に、上記第１実施形態の磁気回路ユニット１６の変形例について説明する。
【００４７】
まず、第１変形例について説明する。
【００４８】
図４は、本変形例に係る磁気回路ユニット１１６を示す、図３と同様の図である。
【００４９】
同図に示すように、この磁気回路ユニット１１６は、そのベース２８の構成は、第１実施形態の場合と同様であるが、そのマグネット１３０の構成が第１実施形態のマグネット３０とは異なっており、また第１実施形態のヨーク３２に相当する部材は設けられていない。
【００５０】
本変形例のマグネット１３０は、第１実施形態のマグネット３０と同様、円板状に形成されており、ベース２８の底壁部２８Ａの上面に、その環状壁部２８Ｂと同心になるように配置された状態で、接着により載置固定されているが、その径は第１実施形態のヨーク３２の径と同じ値に設定されており、その上下幅は第１実施形態のヨーク３２の上下幅とマグネット３０の上下幅とを足し合わせた値に設定されている。そして、このマグネット１３０は、その下面１３０ａから磁気間隙Ｇに臨む周面上端部１３０ｃ１（すなわちマグネット１３０の外周面１３０ｃの上端部）へ向けて磁化されている。
【００５１】
本変形例に係る磁気回路ユニット１１６を用いた場合においても、マグネット１３０の上面１３０ｂから上方へ向かう漏れ磁束を抑制して、その周面上端部１３０ｃ１から磁気間隙Ｇへ向かう有効な磁束を十分に確保することができる。
【００５２】
しかも、本変形例に係る磁気回路ユニット１１６においては、第１実施形態のヨーク３２が不要となるので、電気音響変換器１１６の部品点数を削減することができ、また、このヨーク３２の占有スペース分だけマグネット１３０の上下幅を大きくすることができるので、磁気間隙Ｇへ向かう有効な磁束をさらに増大させることができる。
【００５３】
次に、第２変形例について説明する。
【００５４】
図５は、本変形例に係る磁気回路ユニット２１６を示す、図３、４と同様の図である。
【００５５】
同図に示すように、この磁気回路ユニット２１６は、その基本的な構成は第１変形例の場合と同様であるが、そのマグネット２３０の構成が第１変形例のマグネット１３０とは異なっている。
【００５６】
すなわち、本変形例のマグネット２３０は、第１変形例のマグネット１３０と同様、円板状に形成されており、ベース２８の底壁部２８Ａの上面に、その環状壁部２８Ｂと同心になるように配置された状態で、接着により載置固定されているが、その外周面２３０ｃの形状が第１変形例の場合と異なっている。具体的には、このマグネット２３０は、その磁気間隙Ｇに臨む周面上端部２３０ｃ１（すなわちマグネット２３０の外周面２３０ｃの上端部）が、その外周面２３０ｃにおける他の部分よりも外周側（すなわちボイスコイル１４側）へ突出するように形成されている。その際、このマグネット２３０における周面上端部２３０ｃ１の径は第１変形例のマグネット１３０の径と同じ値に設定されているが、それ以外の部分の径はマグネット１３０の径よりも多少小さい値（例えば０．３ｍｍ程度小さい値）に設定されている。そして、このマグネット２３０は、その下面２３０ａから周面上端部２３０ｃ１へ向けて磁化されている。
【００５７】
本変形例に係る磁気回路ユニット２１６を用いた場合においても、第１変形例の場合と同様の作用効果を得ることができる。
【００５８】
しかも、本変形例に係る磁気回路ユニット２１６においては、マグネット２３０の周面上端部２３０ｃ１がボイスコイル１４側へ突出しているので、この周面上端部２３０ｃ１が確固とした磁極となるように着磁処理を行うことが可能となり、これにより磁気間隙Ｇへ向かう磁束の密度を高めることができる。
【００５９】
次に、本願発明の第２実施形態について説明する。
【００６０】
図６は、本実施形態に係る電気音響変換器３１０を示す、図２と同様の図である。
【００６１】
同図に示すように、本実施形態に係る電気音響変換器３１０も、小型の動電型スピーカとして構成されており、その基本的な構成は第１実施形態の場合と同様であるが、その磁気回路ユニット３１６が、外磁式の磁気回路ユニットとして構成されている点で第１実施形態の場合と異なっている。
【００６２】
なお、ダイヤフラム１２およびボイスコイル１４の構成は、第１実施形態の場合と同様であり、また、フレーム３２０は、第１実施形態のフレーム２０における外周フランジ部２０Ｂの部分と略同様の構成を有している。
【００６３】
図７は、磁気回路ユニット３１６の構成を示す、図６の要部詳細図である。
【００６４】
同図にも示すように、この磁気回路ユニット３１６は、第１実施形態の第２変形例に係る磁気回路ユニット２１６の構成を外磁式に置き換えたような構成を有している。
【００６５】
すなわち、この磁気回路ユニット３１６は、鋼製のベース３２８と、ネオジウム製のマグネット３３０とからなっている。
【００６６】
ベース３２８は、ボイスコイルより１４も下方側において水平方向に延びる底壁部３２８Ａと、この底壁部３２８Ａの内周縁からボイスコイル１４の内周側に隣接するようにして上方へ延びる環状壁部３２８Ｂとからなっている。そして、このベース３２８は、その底壁部３２８Ａがダイヤフラム１２よりもやや径の小さい円形の外形形状を有しており、その外周面においてフレーム３２０に固定されている。
【００６７】
マグネット３３０は、円環板状に形成されており、その外径はベース３２８の底壁部３２８Ａの外径と略同じ値に設定されており、その上下幅は第２変形例のマグネット２３０の上下幅と同じ値に設定されている。そして、このマグネット３３０は、ベース３２８の底壁部３２８Ａの上面に、その環状壁部３２８Ｂと同心になるように配置された状態で、接着により載置固定されている。
【００６８】
このマグネット３３０の内周面３３０ｄは、第２変形例のマグネット２３０の外周面２３０ｃと同様の断面形状を有している。すなわち、このマグネット３３０における磁気間隙Ｇに臨む周面上端部３３０ｄ１（すなわちマグネット３３０の内周面３３０ｄの上端部）は、その内周面３３０ｄにおける他の部分よりも内周側（すなわちボイスコイル１４側）へ突出するように形成されている。
【００６９】
そしてこれにより、この磁気回路ユニット３１６においては、そのマグネット３３０の周面上端部３３０ｄ１とベース３２８の環状壁部３２８Ｂの外周面との間において磁気間隙Ｇを全周同一幅で形成するようになっている。
【００７０】
図７に示すように、この磁気回路ユニット３１６のマグネット３３０は、その下面３３０ａから周面上端部３３０ｄ１へ向けて磁化されている。
【００７１】
本実施形態に係る電気音響変換器３１０を採用した場合においても、第１実施形態の場合と同様、従来のように単に鉛直方向に磁化されている場合に比して、磁気回路からの漏れ磁束を低減させることができ、その分だけ磁気間隙Ｇへ向かう有効な磁束を増大させることができる。
【００７２】
なお、本実施形態に係る電気音響変換器３１０のように、磁気回路ユニット３１６として外磁式の磁気回路ユニットを有する構成となっている場合において、第１実施形態の第１変形例のように、マグネットの周面上端部と他の部分とが面一で形成された構成とすることも可能であり、また第１実施形態のように、マグネットの上面にヨークが載置固定された構成とした上で、その下面から上面へ向けて鉛直方向に対して磁気間隙Ｇ寄りに傾斜した方向に磁化された構成とすることも可能である。
【００７３】
上記各実施形態および各変形例においては、そのマグネット３０、１３０、２３０、３３０がネオジウム製であるものとして説明したが、これ以外の材質（例えばフェライト製等）である場合においても、上記各実施形態および各変形例と同様の構成を採用することによりこれらと同様の作用効果を得ることが可能である。
【００７４】
また、上記各実施形態および各変形例においては、磁気間隙Ｇが円筒状に形成されているものとして説明したが、これ以外の形状（例えば楕円筒形状や長円筒形状等）に形成されている場合においても同様の作用効果を得ることが可能である。
【００７５】
さらに、上記各実施形態および各変形例においては、電気音響変換器１０、３１０がスピーカであるものとして説明したが、レシーバ等のようなスピーカ以外の電気音響変換器である場合においても、上記各実施形態および各変形例と同様の構成を採用することによりこれらと同様の作用効果を得ることが可能である。
【００７６】
なお、上記各実施形態および各変形例において諸元として示した数値は一例にすぎず、これらを適宜異なる値に設定してもよいことはもちろんである。
【図面の簡単な説明】
【００７７】
【図１】本願発明の第１実施形態に係る電気音響変換器を示す平面図
【図２】図１のII-II 線断面図
【図３】上記電気音響変換器の磁気回路ユニットの構成を示す、図２の要部詳細図
【図４】上記磁気回路ユニットの第１変形例を示す、図３と同様の図
【図５】上記磁気回路ユニットの第２変形例を示す、図３、４と同様の図
【図６】本願発明の第２実施形態に係る電気音響変換器を示す、図２と同様の図
【図７】上記第２実施形態に係る電気音響変換器の磁気回路ユニットの構成を示す、図６の要部詳細図
【符号の説明】
【００７８】
１０、３１０  電気音響変換器
１２  ダイヤフラム
１２ａ  外周縁平面部
１２ｂ  中間平面部
１４  ボイスコイル
１４ａ  コイル端末
１６、１１６、２１６、３１６  磁気回路ユニット
１８  端子部材
１８ａ  ランド部
１８ｂ  外部端子接続部
２０、３２０  フレーム
２０Ａ  環状部
２０Ｂ  外周フランジ部
２０ａ  円形開口部
２０ｂ  ダイヤフラム支持面
２０ｃ  円形孔
２０ｄ  平面部
２０ｅ  切欠き部
２４、３４  接着剤
２８、３２８  ベース
２８Ａ、３２８Ａ  底壁部
２８Ｂ、３２８Ｂ  環状壁部
２８ａ  環状段差部
３０、１３０、２３０、３３０  マグネット
３０ａ、１３０ａ、２３０ａ、３３０ａ  下面
３０ｂ、１３０ｂ  上面
３２  ヨーク
３２ａ、１３０ｃ、２３０ｃ  外周面
１３０ｃ１、２３０ｃ１、３３０ｄ１  周面上端部
３３０ｄ  内周面
Ｇ  磁気間隙
【図１】
2007235428.tif 000003
【図２】
2007235428.tif 000004
【図３】
2007235428.tif 000005
【図４】
2007235428.tif 000006
【図５】
2007235428.tif 000007
【図６】
2007235428.tif 000008
【図７】
2007235428.tif 000009